(57)【特許請求の範囲】
【請求項１】
読影対象の画像である第１読影対象画像が表示されているときに、前記第１読影対象画像を読影した読影結果を読影者から入力する入力部と、
前記第１読影対象画像が表示されているときに読影者の視線の方向を特定する視線特定部と、
前記第１読影対象画像のうち、前記入力部から前記読影結果が入力されているときに前記視線特定部が特定した、前記第１読影対象画像における読影者の視線の先の位置を特定する注目情報特定部と、
前記注目情報特定部が特定した前記第１読影対象画像における位置と前記読影者が当該位置に注目しているときに前記入力部から入力された前記読影結果とを対応づけて格納する医用情報格納部と、
前記読影結果が入力された前記第１読影対象画像を、症例画像として格納する症例画像格納部と、
前記症例画像格納部が格納している前記症例画像とともに、前記医用情報格納部が格納している前記症例画像の前記読影結果を表示する表示部と、
前記表示部が前記読影結果を表示する表示領域のうち、前記症例画像を閲覧する閲覧者の視線の先の領域を、前記閲覧者が注目している領域として特定する注目領域特定部と、
前記注目領域特定部が特定した領域に前記表示部が表示している読影結果を特定する注目領域情報特定部と
を備え、
前記表示部は、前記注目領域情報特定部が特定した読影結果に対応づけて前記医用情報格納部が格納している、前記症例画像における前記位置の領域を強調して表示する
医用情報処理システム。
【請求項２】
前記読影者が前記第１読影対象画像における前記位置に注目した時間長さを検出する注目時間検出部
をさらに備え、
前記医用情報格納部は、前記第１読影対象画像における前記位置及び前記読影結果を、前記注目時間検出部が検出した時間が長いほどより高い重要度に対応づけて格納し、
前記表示部は、より高い重要度に対応づけて前記医用情報格納部が格納している、前記症例画像における前記位置の領域をより強調して表示する
請求項１に記載の医用情報処理システム。
【請求項３】
前記読影者が前記第１読影対象画像における前記位置に注目した回数を検出する注目回数検出部
をさらに備え、
前記医用情報格納部は、前記第１読影対象画像における前記位置及び前記読影結果を、前記注目回数検出部が検出した回数が多いほどより高い重要度に対応づけて格納し、
前記表示部は、より高い重要度に対応づけて前記医用情報格納部が格納している、前記症例画像における前記位置の領域をより強調して表示する
請求項１に記載の医用情報処理システム。
【請求項４】
前記入力部は、前記第１読影対象画像及び前記第１読影対象画像と対比して表示させる対比画像が表示されているときに、前記第１読影対象画像を読影した前記読影結果を前記読影者から入力し、
前記注目情報特定部は、前記入力部から前記読影結果が入力されているときに前記読影者が注目した前記対比画像における位置を更に特定し、
前記医用情報格納部は、前記注目情報特定部が特定した、前記第１読影対象画像における前記位置および前記対比画像における前記位置と、前記入力部から入力された前記読影結果とを対応づけて格納し、
前記表示部は、前記注目領域情報特定部が特定した読影結果に対応づけて前記医用情報格納部が格納している、前記対比画像における前記位置の領域を強調して表示する
請求項１から３のいずれか一項に記載の医用情報処理システム。
【請求項５】
前記入力部から前記読影結果が入力されているときに前記視線特定部が特定した、前記第１読影対象画像における前記位置の近傍の領域から、異常陰影が存在する領域を抽出する異常陰影領域抽出部
をさらに備え、
前記注目情報特定部は、前記異常陰影領域抽出部が抽出した領域の位置を特定する
請求項１から４のいずれか一項に記載の医用情報処理システム。
【請求項６】
新たな読影対象画像である第２読影対象画像から抽出された異常陰影に類似する異常陰影を有する類似症例画像を、前記症例画像格納部が格納している症例画像の中から検索する検索部
をさらに備え、
前記表示部は、前記第２読影対象画像とともに、前記検索された前記類似症例画像を表示し、
前記閲覧者は、前記第２読影対象画像を読影する読影者であり、
前記注目領域特定部は、前記第２読影対象画像を読影する読影者の視線の先の領域を特定し、
前記注目領域情報特定部は、前記注目領域特定部が特定した領域に表示された、前記類似症例画像の読影結果を特定し、
前記表示部は、前記注目領域情報特定部が特定した読影結果に対応づけて前記医用情報格納部が格納している、前記類似症例画像における前記位置の領域を強調して表示する
請求項１から５のいずれか一項に記載の医用情報処理システム。
【請求項７】
前記症例画像格納部は、読影者を識別する識別情報に対応づけて前記症例画像を格納し、
前記症例画像格納部が格納している前記症例画像の利用は、前記症例画像に対応づけて格納されている前記識別情報で識別される読影者に限定される
請求項６に記載の医用情報処理システム。
【請求項８】
コンピュータを、請求項１から７のいずれか一項に記載の医用情報処理システムとして機能させるためのプログラム。
【発明の詳細な説明】
【技術分野】
【０００１】
本発明は、医用情報処理システム、医用情報処理方法、及びプログラムに関する。特に本発明は、医用画像を処理する医用情報処理システム及び医用情報処理方法、並びに医用情報処理システム用のプログラムに関する。
【背景技術】
【０００２】
監視カメラにより取得した画像データに基づいて読影時及び非読影時を判別し、読影時に、ＲＯＭに記憶されている読影時または非読影時の照度に基づいて、読影時には照明装置の照度を落とすことにより照度を調整する。また、非読影時には、照明装置の照度を通常の照度にすることにより照度を調整する（例えば、特許文献１参照。）。
【特許文献１】特開２００３−１９００９９号公報
【発明の開示】
【発明が解決しようとする課題】
【０００３】
特許文献１に記載の技術では、読影者が読影時に注目していた内容を他の読影者が特定することができない。
【課題を解決するための手段】
【０００４】
上記課題を解決するために、本発明の第１の形態によると、医用情報処理システムであって、医学情報が表示されているときに、医学情報に関連する入力情報を入力者から入力する入力部と、医学情報のうち、入力部から入力情報が入力されているときに入力者が注目した情報である注目情報を特定する注目情報特定部と、注目情報特定部が特定した注目情報及び入力者が当該注目情報に注目しているときに入力部から入力された入力情報を対応づけて格納する医用情報格納部とを備える。
【０００５】
医用情報格納部が注目情報に対応づけて格納している入力情報を、注目情報とともに表示する表示部をさらに備えてよい。医学情報が表示されているときに入力者が見ている方向を特定する視線特定部をさらに備え、注目情報特定部は、視線特定部が検出した診断者の視線方向の先に表示された内容を注目情報として特定してよい。
【０００６】
表示部が医学情報を表示する表示領域のうち、医学情報を閲覧する閲覧者が注目している領域を特定する注目領域特定部と、注目領域特定部が特定した領域に表示部が表示している情報を特定する注目領域情報特定部とをさらに備え、表示部は、注目領域情報特定部が特定した情報に対応づけて医用情報格納部が格納している注目情報又は入力情報を強調して表示してよい。
【０００７】
入力者が注目情報に注目した時間長さを検出する注目時間検出部をさらに備え、医用情報格納部は、注目情報及び入力情報を、注目時間検出部が検出した時間が長いほどより高い重要度に対応づけて格納し、表示部は、より高い重要度に対応づけて医用情報格納部が格納している注目情報又は入力情報をより強調して表示してよい。
【０００８】
入力者が注目情報に注目した回数を検出する注目回数検出部をさらに備え、医用情報格納部は、注目情報及び入力情報を、注目回数検出部が検出した回数が多いほどより高い重要度に対応づけて格納し、表示部は、より高い重要度に対応づけて医用情報格納部が格納している注目情報又は入力情報をより強調して表示してよい。
【０００９】
本発明の第２の形態によると、医用情報処理方法であって、医学情報が表示されているときに、医学情報に関連する入力情報を入力者から入力する入力段階と、医学情報のうち、入力段階において入力情報が入力されているときに入力者が注目した情報である注目情報を特定する注目情報特定段階と、注目情報特定段階において特定された注目情報及び入力者が当該注目情報に注目しているときに入力段階において入力された入力情報を対応づけて格納する医用情報格納段階とを備える。
【００１０】
本発明の第３の形態によると、プログラムであって、医学情報が表示されているときに、医学情報に関連する入力情報を入力者から入力する入力部と、医学情報のうち、入力部から入力情報が入力されているときに入力者が注目した情報である注目情報を特定する注目情報特定部と、注目情報特定部が特定した注目情報及び入力者が当該注目情報に注目しているときに入力部から入力された入力情報を対応づけて格納する医用情報格納部として機能させる。
【００１１】
なお、上記の発明の概要は、本発明の必要な特徴の全てを列挙したものではなく、これらの特徴群のサブコンビネーションもまた、発明となりうる。
【発明を実施するための最良の形態】
【００１２】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１３】
図１は、一実施形態に係る医用情報処理システム１００の利用環境の一例を示す。医用情報処理システム１００は、医用情報処理装置１１０、診断支援情報データベース１２０、複数の読影者端末１５０ａ−ｄ（以下、読影者端末１５０と総称する）、及び複数の医用画像撮像装置１７０ａ−ｃ（以下、医用画像撮像装置１７０と総称する。）を備える。診断支援情報データベース１２０は、医学情報データベース１３０、症例データベース１４０、及び注目情報データベース１４５を有する。
【００１４】
読影者端末１５０ａ及び医用画像撮像装置１７０ａは診断サイト１０２ａに設けられ、読影者端末１５０ａは医用画像撮像装置１７０ａが撮像した読影対象画像を読影者１９０ａに読影させる。また、読影者端末１５０ｂ及び医用画像撮像装置１７０ｂは診断サイト１０２ｂに設けられ、医用画像撮像装置１７０ｂが撮像した読影対象画像を読影者１９０ｂに読影させる。また、読影者端末１５０ｃ及び医用画像撮像装置１７０ｃは診断サイト１０２ｃに設けられ、医用画像撮像装置１７０ｃが撮像した読影対象画像を読影者１９０ｃに読影させる。一例としては、診断サイト１０２ａ、診断サイト１０２ｂ、及び診断サイト１０２ｃは互いに異なる病院等の診療・医療機関であってよい。
【００１５】
医用情報処理装置１１０、診断支援情報データベース１２０、及び読影者端末１５０ｄは診断サイト１０２ａ−ｃと異なる診断サイト１０２ｄに設けられる。医用情報処理装置１１０は、医用画像撮像装置１７０と通信回線１６０を通じて接続されており、医用画像撮像装置１７０から読影対象画像を収集して症例データベース１４０に格納する。そして、読影者端末１５０は、症例データベース１４０に格納された読影対象画像を表示する。なお、診断サイト１０２ｄは、遠隔読影サービスを提供する機関であってよい。なお、読影者端末１５０ａ−ｃも、通信回線１６０を通じて症例データベース１４０が格納している読影対象画像を取得して、読影者１９０ａ−ｃに読影させることができる。
【００１６】
医学情報データベース１３０は、診断を支援する医学的情報を、ハードディスク、不揮発性の半導体メモリ等の、電子的に記録することができる記録媒体に格納している。医学的情報とは、疾患の解説データ、病変部を含む画像を読影する場合に注意すべきポイント、所見として記載すべきポイント、及び代表的な症例画像を含む。また、症例データベース１４０は、複数の症例情報を、ハードディスク、不揮発性の半導体メモリ等の、電子的に記録することができる記録媒体に格納している。症例情報とは、症例画像、所見、確定された診断結果、カルテデータ等の診療記録を含む。
【００１７】
医用情報処理装置１１０は、診断支援情報データベース１２０と接続されている。医用情報処理装置１１０は、医学情報データベース１３０が格納している医学情報及び症例データベース１４０が格納している症例情報を電子的に読み出すことができる。医用情報処理装置１１０は、通信回線１６０を介して読影者端末１５０と接続されており、医学情報データベース１３０及び症例データベース１４０から読み出した医学情報及び症例情報を、通信回線１６０を通じて読影者端末１５０に電子的に提供する。
【００１８】
読影者端末１５０は、医用画像撮像装置１７０が撮像した読影対象画像を取得して、読影者１９０に提示する。このとき、読影者端末１５０は、医用情報処理装置１１０から取得した関連する医学情報及び症例情報を、読影対象画像とともに提示する。そして、読影者端末１５０は、読影者１９０から所見の入力を受け付けて、入力された所見及び読影対象画像を医用情報処理装置１１０に通信回線１６０を通じて送信する。医用情報処理装置１１０は、読影者端末１５０から受け取った所見及び読影対象画像を含む症例データを、新たな症例情報として症例データベース１４０に格納させる。
【００１９】
なお、カメラ１８０は、読影者１９０が読影しているときに読影者１９０を撮影しており、撮像した画像を読影者端末１５０に供給する。読影者端末１５０は、カメラ１８０が撮像した画像から、読影者１９０の視線を特定する。そして、読影者端末１５０は、検出した読影者１９０の視線の先にある読影対象画像の画像領域を、読影者１９０が入力した所見内容に対応づけて医用情報処理装置１１０に送信する。そして、医用情報処理装置１１０は、読影者端末１５０から受け取った画像領域及び所見内容を、注目情報データベース１４５に対応づけて格納させる。
【００２０】
そして、読影者端末１５０は、例えば他の読影者１９０が注目情報データベース１４５が格納している所見内容を閲覧していることを検出した場合に、当該所見内容に対応づけて注目情報データベース１４５が格納している画像領域を取得して、読影者端末１５０に表示する。
【００２１】
なお、医用画像撮像装置１７０は、Ｘ線ＣＴ装置、トモシンセシス装置、ＭＲＩ装置等の、放射線を含む電磁波を利用して被検者の画像を撮像する撮像装置であってよい。なお、ここでは複数の診断サイト１０２にまたがるシステムとして医用情報処理システム１００を説明したが、医用情報処理システム１００は、一の診断サイト１０２内で閉じたシステムであってもよい。この場合、診断サイト１０２は一の医療機関内の異なる部門であってよい。例えば、診断サイト１０２は一の医療機関内の異なる診療科であってよい。
【００２２】
このように、医用情報処理システム１００を実際のシステムに適用すると、読影者１９０が不足している病院に対して読影を代行する遠隔読影代行システムとして機能したり、一の病院における診断結果に対するセカンドオピニオンを他の病院に依頼することができるセカンドオピニオン提供システムとして機能し得る場合がある。また、医用情報処理システム１００を実際のシステムに適用すると、医学情報データベース１３０に格納されている医学情報及び症例データベース１４０に格納されている症例情報を読影者端末１５０に電子的に提供することができ、言うなれば症例を必要に応じて動的に追加することができる電子医学書として機能し得る場合がある。なお、注目情報データベース１４５は、この発明における医用情報格納部の一例であり、医学情報データベース１３０、症例データベース１４０は、この発明における症例画像格納部の一例である。
【００２３】
図２は、医用情報処理装置１１０及び読影者端末１５０のブロック構成の一例を示す。読影者端末１５０は、入力部２１０、視線特定部２２０、表示部２３０、注目領域情報特定部２４０、注目領域特定部２４５、注目情報送信部２５０、注目時間検出部２６０、及び注目回数検出部２６５を有する。医用情報処理装置１１０は、注目情報特定部２７０、異常陰影領域抽出部２７５、及び画像送信部２９０を有する。以下に、診断支援情報データベース１２０が格納するデータとともに、医用情報処理装置１１０の各構成要素の動作を説明する。
【００２４】
入力部２１０は、医学情報が表示されているときに、医学情報に関連する入力情報を入力者から入力する。なお、後に説明するように、医学情報とは読影対象画像又は症例画像であってよく、入力者は読影対象画像又は症例画像を読影する読影者１９０であってよい。そして、入力部２１０は、読影対象画像又は症例画像に関連する所見を入力情報として読影者１９０から入力してよい。
【００２５】
注目情報特定部２７０は、医学情報のうち、入力部２１０から入力情報が入力されているときに入力者が注目した情報である注目情報を特定する。注目情報データベース１４５は、注目情報特定部２７０が特定した注目情報及び入力者が当該注目情報に注目しているときに入力部２１０から入力された入力情報を対応づけて格納する。そして、表示部２３０は、注目情報データベース１４５が注目情報に対応づけて格納している入力情報を、注目情報とともに表示する。
【００２６】
なお、視線特定部２２０は、医学情報が表示されているときに入力者が見ている方向を特定する。そして、注目情報特定部２７０は、視線特定部が検出した診断者の視線方向の先に表示された内容を注目情報として特定する。
【００２７】
注目領域特定部２４５は、表示部２３０が医学情報を表示する表示領域のうち、医学情報を閲覧する閲覧者が注目している領域を特定する。そして、注目領域情報特定部２４０は、注目領域特定部２４５が特定した領域に表示部２３０が表示している情報を特定する。表示部２３０は、注目領域情報特定部２４０が特定した情報に対応づけて注目情報データベース１４５が格納している注目情報又は入力情報を強調して表示する。
【００２８】
注目時間検出部２６０は、入力者が注目情報に注目した時間長さを検出する。そして、注目情報送信部２５０は、注目時間検出部２６０が検出した時間長さを医用情報処理装置１１０に送信する。そして、注目情報データベース１４５は、注目情報及び入力情報を、注目時間検出部２６０が検出した時間が長いほどより高い重要度に対応づけて格納する。そして、表示部２３０は、より高い重要度に対応づけて注目情報データベース１４５が格納している注目情報又は入力情報をより強調して表示する。
【００２９】
注目回数検出部２６５は、入力者が注目情報に注目した回数を検出する。そして、注目情報送信部２５０は、注目回数検出部２６５が検出した回数を医用情報処理装置１１０に送信する。そして、注目情報データベース１４５は、注目情報及び入力情報を、注目回数検出部２６５が検出した回数が多いほどより高い重要度に対応づけて格納する。そして、表示部２３０は、より高い重要度に対応づけて注目情報データベース１４５が格納している注目情報又は入力情報をより強調して表示する。
【００３０】
なお、入力部２１０は、読影対象の画像である読影対象画像を含む医学情報が表示されているときに、当該読影対象画像を読影した読影結果を含む入力情報を読影者１９０から入力する。そして、注目情報特定部２７０は、入力部２１０から入力情報が入力されているときに読影者１９０が注目した、読影対象画像における位置を含む注目情報を特定する。
【００３１】
具体的には、入力部２１０は、読影対象画像及び当該読影対象画像と対比して表示させる対比画像を含む医学情報が表示されているときに、当該読影対象画像を読影した読影結果を含む入力情報を読影者１９０から入力する。そして、注目情報特定部２７０は、入力部２１０から入力情報が入力されているときに読影者１９０が注目した、読影対象画像における位置及び対比画像における位置を含む注目情報を特定する。
【００３２】
なお、注目情報送信部２５０は、注目時間検出部２６０が検出した注目時間、注目回数検出部２６５が検出した注目回数、及び視線特定部２２０により特定された視線の先の領域、及び表示部２３０が表示している症例画像又は読影対象画像を識別する識別情報を、注目情報特定部２７０に送信する。そして、注目情報特定部２７０は、注目情報送信部２５０から受け取った識別情報と、当該識別情報が示す症例画像又は読影対象画像における視線の先の領域とを対応づけて注目情報データベース１４５に格納させる。
【００３３】
なお、異常陰影領域抽出部２７５は、入力部２１０から入力情報が入力されているときに読影者１９０が注目した、読影対象画像における位置の近傍の領域から、異常陰影が存在する領域を抽出する。そして、注目情報特定部２７０は、異常陰影領域抽出部２７５が抽出した領域を注目情報として特定してもよい。
【００３４】
なお、医学情報データベース１３０及び症例データベース１４０は、症例画像を格納する。そして、入力部２１０は、症例画像格納部が格納している症例画像を含む医学情報が表示されているときに、当該症例画像が示す疾患に関する情報を含む入力情報を入力者から入力する。そして、注目情報特定部２７０は、入力部２１０から入力情報が入力されているときに入力者が注目した、症例画像における位置を含む注目情報を特定する。なお、画像送信部２９０は、医学情報データベース１３０及び症例データベース１４０から症例画像を読み出して読影者端末１５０に送信する。そして、表示部２３０は、画像送信部２９０から受け取った症例画像を表示する。
【００３５】
以上説明した医用情報処理システム１００のように、医用情報処理装置１１０を実際のシステムとして適用すると、読影者１９０が注目した領域と入力した所見とを他の読影者１９０に提供することができる場合がある。このため、読影者１９０が読影対象画像のどこを見て当該所見を下したかを特定することができる場合がある。
【００３６】
図３は、読影者端末１５０ａ及びｄ、並びに医用情報処理装置１１０の動作フローの一例を示す。読影者端末１５０ｄは、医用情報処理装置１１０から受け取った症例画像を表示する。そして、読影者端末１５０ｄは、入力部２１０により読影者１９０ｄから入力された所見を取得する。また、視線特定部２２０は、カメラ１８０により撮像された画像に含まれる読影者１９０ｄの目の位置等に基づいて、読影者１９０ｄの視線の先の位置（視線位置）を特定する（Ｓ３０４）。
【００３７】
そして、読影者端末１５０ｄは、所見及び視線位置を医用情報処理装置１１０に送信する（Ｓ３０６）。医用情報処理装置１１０は、読影者端末１５０ｄから受け取った所見を症例データベース１４０に記録するとともに、所見内容及び視線位置を注目情報データベース１４５に対応付けて記録する（Ｓ３０８）。このようにして、医用情報処理装置１１０は、読影技術が優れた読影者１９０ｄによる所見を症例データベース１４０に格納させるとともに、当該所見を下したときに読影者１９０ｄが参照していた症例画像における視線位置を、注目情報データベース１４５に記録させる。
【００３８】
一方、他の読影者１９０が読影対象画像を読影する場合に、読影者端末１５０ａは読影者１９０に指定された読影対象画像を医用情報処理装置１１０に要求する（Ｓ３１２）。医用情報処理装置１１０は、要求された読影対象画像を読影者端末１５０ａに送信する（Ｓ３１４）。そして、読影者端末１５０ａは、医用情報処理装置１１０から受け取った読影対象画像を表示する（Ｓ３１６）。
【００３９】
なお、医用情報処理装置１１０は、要求された読影対象画像から異常陰影を抽出して、抽出した異常陰影に類似する異常陰影を有する類似症例画像を医学情報データベース１３０及び症例データベース１４０の中から検索する（Ｓ３１８）。また、医用情報処理装置１１０は、当該類似症例画像における読影者１９０ｄの視線位置及び所見内容を注目情報データベース１４５から読み出す。そして、医用情報処理装置１１０は、類似症例画像、視線位置、及び所見を読影者端末１５０ａに送信する（Ｓ３２０）。
【００４０】
そして、読影者端末１５０ａは、医用情報処理装置１１０から受け取った類似症例画像を表示する（Ｓ３２２）。また、読影者端末１５０ａの注目領域特定部２４５は、読影者端末１５０ａの視線特定部２２０が特定した読影者１９０ａの視線の先の領域を特定する。そして、読影者端末１５０ａの注目領域情報特定部２４０は、注目領域特定部２４５が特定した領域に表示された所見を特定する。そして、読影者端末１５０ａの表示部２３０は、当該所見に対応づけられた類似症例画像における視線位置の領域を強調表示する（Ｓ３２４）。
【００４１】
図４は、医学情報データベース１３０が格納しているデータの一例をテーブル形式で示す。医学情報データベース１３０は、いわゆる電子的な医学辞書に格納されている医学情報データを格納する。
【００４２】
具体的には、医学情報データベース１３０は、疾患を識別する疾患ＩＤ、疾患を示す症例画像を識別する画像ＩＤ、及び疾患情報データを対応づけて格納している。医学情報データベース１３０が格納する症例画像は、疾患の代表的な症例画像であってよい。例えば、医学情報データベース１３０が格納している症例画像は、いわゆる書籍の医学書に掲載されている症例画像であってよく、疾患の特徴的な特徴を有する症例画像であってよい。また、疾患情報データとは、疾患の特徴、読影時に注意すべきポイント、所見として記載すべきポイント、所見の文例、誤診しやすい他の疾患名等、疾患に関連して読影者１９０に提供すべき文字情報及び画像情報を含んでよい。
【００４３】
図５は、症例データベース１４０が格納しているデータの一例をテーブル形式で示す。症例データベース１４０は、医用画像撮像装置１７０が撮像した画像を症例画像として、その診断結果とともに格納する。
【００４４】
具体的には、症例データベース１４０は、読影者１９０を一意に識別するユーザＩＤ、医用画像撮像装置１７０が撮像した症例画像を識別する画像ＩＤ、及び疾患を識別する疾患ＩＤ、及び診断結果データを対応づけて格納している。ユーザＩＤは、症例データベース１４０が格納している症例画像を使用することができるユーザを識別する情報であってもよい。このように、症例データベース１４０がユーザＩＤに対応づけて症例画像を格納しているので、読影者１９０が保存しておくべき症例画像を読影者１９０毎に蓄積することができる。これにより、症例データベース１４０は、いわば読影者１９０独自の症例データベースとして機能することができる。他にも、医用情報処理装置１１０は、ユーザＩＤを、症例画像を利用することができる読影者１９０を限定するためのパーミッション情報としても使用してもよい。なお、症例データベース１４０は、ユーザＩＤに代えて、診断サイト１０２を識別する情報を格納してよい。これにより、症例データベース１４０は、例えば病院独自の症例データベースとして機能することができる。
【００４５】
また、画像ＩＤは、症例データベース１４０が格納している症例画像を識別する情報であってよい。また、画像ＩＤは、症例データベース１４０が格納している症例画像及び医学情報データベース１３０が格納している症例画像を識別する情報であってもよい。疾患ＩＤは、対応する症例画像が示す診断対象について確定診断結果が示す疾患を識別する疾患ＩＤであってよい。
【００４６】
また、診断結果データとは、診療録として記録されるデータを含み、例えば診療情報患者の氏名、性別、年齢、診断結果、投薬情報等の診療過程において取得された患者に関する情報、すなわち診療情報又は医療情報と呼ばれる情報を含む。具体的には、診断結果データは、カルテデータであってよい。また、症例データベース１４０は、ユーザＩＤによって識別される読影者１９０毎に、読影者１９０が下した診断結果を示す診断結果データを格納してよい。
【００４７】
図６は、注目情報データベース１４５が格納しているデータの一例をテーブル形式で示す。注目情報データベース１４５は、画像ＩＤ、視線領域、入力情報データ、及び重要度を対応づけて格納する。なお、画像ＩＤについては、図４及び図５において説明しているので、説明を省略する。
【００４８】
視線領域は、症例画像における読影者１９０の視線の先の領域を示す座標情報であってよい。例えば、視線領域は、視線領域を示す矩形領域の対角の座標であってよい。なお、視線領域は、矩形以外にも、類円形、多角形等、多様な形状を有してよい。このような矩形以外の視線領域についても、注目情報データベース１４５は、円の中心座標及び半径、多角形の輪郭形状を示すベクトル情報等により、多様な形状の視線領域を格納することができることは言うまでもない。
【００４９】
また、入力情報データは、読影者１９０により入力された所見の少なくとも一部のデータであってよい。例えば、入力情報データは、「○○状の陰影」等のように、読影者１９０により入力された異常陰影の特徴を示す語句であってよい。
【００５０】
また、注目情報データベース１４５は、読影者１９０によって注目された回数及び時間に基づいて算出された重要度を格納する。例えば、注目回数１回あたりの重要度の増分、及び単位注目時間あたりの重要度の増分が予め定められていて、医用情報処理装置１１０は、読影者端末１５０から受け取った注目回数及び注目時間、並びに予め定められている重要度の増分に基づいて、注目回数又は注目時間に応じた重要度の増加値を算出してよい。そして、医用情報処理装置１１０は、注目情報データベース１４５が格納している重要度に重要度の増加値を加えた値の重要度で、注目情報データベース１４５が格納している重要度を更新してよい。
【００５１】
図７は、医用情報処理装置１１０が表示部２３０に表示させる画面の一例を示す。医用情報処理装置１１０は、読影対象画像ウィンドウ７１０、類似症例画像ウィンドウ７２０及び７５１−７５４、診断レポート入力ウィンドウ７３０、及び参考診断レポート表示ウィンドウ７４０を含む画面を表示部２３０に表示させる。
【００５２】
医用情報処理装置１１０は、読影対象画像ウィンドウ７１０内に、医用情報処理装置１１０から取得した読影対象画像を表示させる。そして、医用情報処理装置１１０は、症例データベース１４０が格納している症例画像のうち、類似症例画像を類似症例画像ウィンドウ７５１−７５３に表示させる。また、医用情報処理装置１１０は、指定された症例画像が示す疾患に対応づけて医学情報データベース１３０が格納している症例画像を、類似症例画像ウィンドウ７５４に表示させる。そして、読影者１９０が類似症例画像ウィンドウ７５１−７５４のうちのいずれかのウィンドウをマウス等でクリックすることで症例画像が指定されると、表示部２３０は、指定された症例画像を類似症例画像ウィンドウ７５０に拡大して表示する。
【００５３】
また、医用情報処理装置１１０は、指定された症例画像の所見等の診断結果データ又は疾患情報データを症例データベース１４０又は医学情報データベース１３０から取得して、その内容を参考診断レポート表示ウィンドウ７４０に表示させる。このとき、医用情報処理装置１１０は、診断結果データに含まれる疾患名を、医学情報データベース１３０が格納している疾患情報データへのリンク７４２として、参考診断レポート表示ウィンドウ９４０に表示させる。当該リンク７４２は、例えばＨＴＭＬによって記述されるハイパーテキストにおけるハイパーリンクであってよい。読影者端末１５０に表示されたリンク７４２を読影者１９０がマウス操作等によってクリックすると、医用情報処理装置１１０は、リンク付けされた疾患情報データを医学情報データベース１３０から取得して、読影者端末１５０に送信して読影者端末１５０に表示させる。なお、疾患情報データはＨＴＭＬ、ＸＭＬ等のマークアップ言語等によって記述されてよい。
【００５４】
このような表示画面上において、注目領域特定部２４５は、視線特定部２２０が特定した読影者１９０の視線の先の領域を特定する。そして、注目領域情報特定部２４０は、当該領域に表示部２３０が表示した表示内容を特定する。例えば、注目領域情報特定部２４０が、参考診断レポート表示ウィンドウ７４０における「○○状の陰影」という内容を特定した場合には、表示部２３０は、当該内容に対応づけられた視線領域（ｘ１１、ｙ１１）（ｘ１２、ｙ１２）を矩形の対角の座標とする枠７５２を、類似症例画像ウィンドウ７５０の症例画像に重畳して表示する。このようにして、読影者端末１５０は、類似症例画像について所見が入力されたときに読影者１９０が注目していた異常陰影領域を強調表示する。なお、表示部２３０は、当該領域がより高い重要度に対応づけられている場合に、枠７５２をより強調して表示してもよい。
【００５５】
なお、読影者端末１５０は、読影者１９０により診断レポート入力ウィンドウ７３０に読影者１９０から入力部２１０に入力された所見データ等のデータを取得する。そして、読影者端末１５０は、取得したデータを医用情報処理装置１１０に送信する。そして、医用情報処理装置１１０は、受信したデータを、症例データベース１４０の診断結果データとして記録する。
【００５６】
なお、診断レポート入力ウィンドウ７３０における所見欄に入力部２１０から所見が入力されたことを検出すると、注目情報送信部２５０は、所見が入力されたときの視線として視線特定部２２０が特定した視線の先の位置（例えば、類似症例画像上における座標）を、医用情報処理装置１１０に送信する。そして、注目情報特定部２７０は、当該視線の先の位置を、注目情報データベース１４５に記録する。このようにして、注目情報データベース１４５は、読影者１９０が入力した所見を、当該所見が入力されたときに読影者１９０が注目していた領域を格納することができる。
【００５７】
図８は、医用情報処理装置１１０、読影者端末１５０、及び診断支援情報データベース１２０をコンピュータ等の電子情報処理装置で構成した場合のハードウェア構成の一例を示す。医用情報処理装置１１０、読影者端末１５０、及び診断支援情報データベース１２０をは、ＣＰＵ周辺部と、入出力部と、レガシー入出力部とを備える。ＣＰＵ周辺部は、ホスト・コントローラ１５８２により相互に接続されるＣＰＵ１５０５、ＲＡＭ１５２０、グラフィック・コントローラ１５７５、及び表示装置１５８０を有する。入出力部は、入出力コントローラ１５８４によりホスト・コントローラ１５８２に接続される通信インターフェイス１５３０、ハードディスクドライブ１５４０、及びＣＤ−ＲＯＭドライブ１５６０を有する。レガシー入出力部は、入出力コントローラ１５８４に接続されるＲＯＭ１５１０、フレキシブルディスク・ドライブ１５５０、及び入出力チップ１５７０を有する。
【００５８】
ホスト・コントローラ１５８２は、ＲＡＭ１５２０と、高い転送レートでＲＡＭ１５２０をアクセスするＣＰＵ１５０５、及びグラフィック・コントローラ１５７５とを接続する。ＣＰＵ１５０５は、ＲＯＭ１５１０、及びＲＡＭ１５２０に格納されたプログラムに基づいて動作して、各部の制御をする。グラフィック・コントローラ１５７５は、ＣＰＵ１５０５等がＲＡＭ１５２０内に設けたフレーム・バッファ上に生成する画像データを取得して、表示装置１５８０上に表示させる。これに代えて、グラフィック・コントローラ１５７５は、ＣＰＵ１５０５等が生成する画像データを格納するフレーム・バッファを、内部に含んでもよい。
【００５９】
入出力コントローラ１５８４は、ホスト・コントローラ１５８２と、比較的高速な入出力装置であるハードディスクドライブ１５４０、通信インターフェイス１５３０、ＣＤ−ＲＯＭドライブ１５６０を接続する。ハードディスクドライブ１５４０は、ＣＰＵ１５０５が使用するプログラム、及びデータを格納する。通信インターフェイス１５３０は、ネットワーク通信装置１５９８に接続してプログラムまたはデータを送受信する。ＣＤ−ＲＯＭドライブ１５６０は、ＣＤ−ＲＯＭ１５９５からプログラムまたはデータを読み取り、ＲＡＭ１５２０を介してハードディスクドライブ１５４０、及び通信インターフェイス１５３０に提供する。
【００６０】
入出力コントローラ１５８４には、ＲＯＭ１５１０と、フレキシブルディスク・ドライブ１５５０、及び入出力チップ１５７０の比較的低速な入出力装置とが接続される。ＲＯＭ１５１０は、放射線撮像システムが起動時に実行するブート・プログラム、あるいは放射線撮像システムのハードウェアに依存するプログラム等を格納する。フレキシブルディスク・ドライブ１５５０は、フレキシブルディスク１５９０からプログラムまたはデータを読み取り、ＲＡＭ１５２０を介してハードディスクドライブ１５４０、及び通信インターフェイス１５３０に提供する。入出力チップ１５７０は、フレキシブルディスク・ドライブ１５５０、あるいはパラレル・ポート、シリアル・ポート、キーボード・ポート、マウス・ポート等を介して各種の入出力装置を接続する。
【００６１】
ＣＰＵ１５０５が実行するプログラムは、フレキシブルディスク１５９０、ＣＤ−ＲＯＭ１５９５、またはＩＣカード等の記録媒体に格納されて利用者によって提供される。記録媒体に格納されたプログラムは圧縮されていても非圧縮であってもよい。プログラムは、記録媒体からハードディスクドライブ１５４０にインストールされ、ＲＡＭ１５２０に読み出されてＣＰＵ１５０５により実行される。ＣＰＵ１５０５により実行されるプログラムは、医用情報処理装置１１０を、図１から図７に関連して説明した注目情報特定部２７０、異常陰影領域抽出部２７５、及び画像送信部２９０として機能させ、読影者端末１５０を、図１から図７に関連して説明した入力部２１０、視線特定部２２０、表示部２３０、注目領域情報特定部２４０、注目領域特定部２４５、注目情報送信部２５０、注目時間検出部２６０、及び注目回数検出部２６５として機能させ、診断支援情報データベース１２０を、図１から図７に関連して説明した医学情報データベース１３０、症例データベース１４０、及び注目情報データベース１４５として機能させる。
【００６２】
以上に示したプログラムは、外部の記憶媒体に格納されてもよい。記憶媒体としては、フレキシブルディスク１５９０、ＣＤ−ＲＯＭ１５９５の他に、ＤＶＤまたはＰＤ等の光学記録媒体、ＭＤ等の光磁気記録媒体、テープ媒体、ＩＣカード等の半導体メモリ等を用いることができる。また、専用通信ネットワークあるいはインターネットに接続されたサーバシステムに設けたハードディスクまたはＲＡＭ等の記憶装置を記録媒体として使用して、ネットワークを介したプログラムとして医用情報処理装置１１０及び診断支援情報データベース１２０に提供してもよい。
【００６３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００６４】
【図１】一実施形態に係る医用情報処理システム１００の利用環境の一例を示す図である。
【図２】医用情報処理装置１１０及び読影者端末１５０のブロック構成の一例を示す図である。
【図３】読影者端末１５０ａ及びｄ、並びに医用情報処理装置１１０の動作フローの一例を示す図である。
【図４】医学情報データベース１３０が格納しているデータの一例をテーブル形式で示す図である。
【図５】症例データベース１４０が格納しているデータの一例をテーブル形式で示す図である。
【図６】注目情報データベース１４５が格納しているデータの一例をテーブル形式で示す図である。
【図７】医用情報処理装置１１０が表示部２３０に表示させる画面の一例を示す図である。
【図８】医用情報処理装置１１０、読影者端末１５０、及び診断支援情報データベース１２０をコンピュータ等の電子情報処理装置で構成した場合のハードウェア構成の一例を示す図である。
【符号の説明】
【００６５】
１００  医用情報処理システム
１０２  診断サイト
１１０  医用情報処理装置
１２０  診断支援情報データベース
１３０  医学情報データベース
１４０  症例データベース
１４５  注目情報データベース
１５０  読影者端末
１６０  通信回線
１７０  医用画像撮像装置
１８０  カメラ
１９０  読影者
２１０  入力部
２２０  視線特定部
２３０  表示部
２４０  注目領域情報特定部
２４５  注目領域特定部
２５０  注目情報送信部
２６０  注目時間検出部
２６５  注目回数検出部
２７０  注目情報特定部
２７５  異常陰影領域抽出部
２９０  画像送信部
【図１】
0005067793.tif 000002
【図２】
0005067793.tif 000003
【図３】
0005067793.tif 000004
【図４】
0005067793.tif 000005
【図５】
0005067793.tif 000006
【図６】
0005067793.tif 000007
【図７】
0005067793.tif 000008
【図８】
0005067793.tif 000009